(57)【要約】  本体を構成する本体外郭と、本体の天面に配され被加熱調理器具を載置する天板と、本体外郭に固定され、天板を少なくとも下方より支持するアンダーフレームと、天板の下方に設けられた加熱コイルユニットと、を備えている。さらに、加熱コイルユニットは、加熱コイルと、加熱コイルを載置するコイル支持体と、を有し、加熱コイルは、コイル支持体を介して、本体外郭の内部に取り付けられた弾性体によって下方から上方に付勢されるとともに、加熱コイルユニットの上端がアンダーフレームの下面もしくは本体外郭の内部に固定された受け部に押し当てられる構成を有する。これにより、天板とアンダーフレームの間の接着剥がれを抑制できる。
2012137481.tif 000002
【特許請求の範囲】
【請求項１】
本体を構成する本体外郭と、前記本体の天面に配され被加熱調理器具を載置する天板と、前記本体外郭に固定され前記天板を少なくとも下方より支持するアンダーフレームと、前記天板の下方に設けられた加熱コイルユニットと、を備え
前記加熱コイルユニットは、
加熱コイルと、前記加熱コイルを載置するコイル支持体と、を有し、
前記加熱コイルは、前記コイル支持体を介して、前記本体外郭の内部に取り付けられた弾性体によって下方から上方に付勢されるとともに、
前記加熱コイルユニットの上端が前記アンダーフレームの下面もしくは前記本体外郭の内部に固定された受け部に押し当てられる構成を有する誘導加熱調理器。
【請求項２】
前記加熱コイルユニットの上端は、絶縁部材を介して前記アンダーフレームの下面に押し当てられる請求項１に記載の誘導加熱調理器。
【請求項３】
前記アンダーフレームは、板状に形成されるとともに、前記アンダーフレームの一部が前記本体外郭の内側に配置される請求項１に記載の誘導加熱調理器。
【請求項４】
前記アンダーフレームは、前記加熱コイルに対応する位置に、前記加熱コイルの外周に一致する開口部を有する請求項１に記載の誘導加熱調理器。
【請求項５】
前記アンダーフレームの前記開口部は、前記加熱コイルユニットの上端の外周よりも小さい請求項４に記載の誘導加熱調理器。
【請求項６】
前記アンダーフレームの前記開口部は、前記開口部の内側に張り出す張り出し部を有する請求項４に記載の誘導加熱調理器。
【請求項７】
前記本体外郭の内側に配置された前記アンダーフレームにビードを形成した請求項３に記載の誘導加熱調理器。
【請求項８】
前記加熱コイルユニットの上端に防振部材が配置された請求項１に記載の誘導加熱調理器。
【請求項９】
前記加熱コイルユニットは、前記コイル支持体を収納する遮熱ケースを、さらに備えている
請求項１に記載の誘導加熱調理器。
【請求項１０】
前記アンダーフレームの下面に、前記加熱コイルユニットの上端からの付勢力を受ける受け部を設けた請求項２に記載の誘導加熱調理器。
【請求項１１】
前記アンダーフレームの前記受け部は前記本体外郭の内部に固定された請求項１０に記載の誘導加熱調理器。
【請求項１２】
前記アンダーフレームに絞り部を、さらに設け、前記絞り部で前記弾性体による付勢力を受ける請求項１に記載の誘導加熱調理器。
【発明の詳細な説明】
【技術分野】
【０００１】
本発明は、一般家庭の台所や業務用の厨房などで使用される、誘導加熱調理器に関する。
【背景技術】
【０００２】
従来、この種の誘導加熱調理器は、以下に図１２を用いて説明する構成を有している（例えば、特許文献１参照）。図１２は、従来の誘導加熱調理器の主要構成部品を示す図である。【０００３】
図１２に示すように、従来の誘導加熱調理器は、本体外郭１１０と、本体の天面に配置され被加熱物を載置する天板１０２と、トップフレーム１０３と、天板１０２の下方に設けられたアンダーフレーム１１６と、天板１０２の下方に設けられた加熱コイル１０５と、加熱コイル１０５を載置するコイルケース１０６とを備えている。また、コイルケース１０６は本体外郭１１０内部に取り付けられた弾性体１０７によって下方から上方に付勢され、天板１０２の下面に押し当てられる構成を備えている。【０００４】
そして、トップフレーム１０３と天板１０２およびアンダーフレーム１１６とは互いに接着もしくは、かしめることにより一体となるように形成され、天板１０２とアンダーフレーム１１６の外周を覆うトップフレーム１０３によって、天板１０２を挟持し、固定していた。【０００５】
しかしながら、一般的な誘導加熱調理器の構成では、弾性体１０７がコイルケース１０６を持ち上げる力を、コイルケース１０６を介して天板１０２の下面で受けている。そのため、天板１０２とアンダーフレーム１１６の間の接着を剥がす方向に力が、常に働いていた。【０００６】
そこで、特許文献１の誘導加熱調理器では、天板１０２とアンダーフレーム１１６の周囲に機械的な締め付けを行うトップフレーム１０３や保持部材などを取り付けることにより、天板１０２とアンダーフレーム１１６の間の接着剥がれを抑制していた。【０００７】
しかし、トップフレーム１０３と天板１０２の天面との隙間に汚れが溜まるため、清掃時において作業性が悪いという課題があった。また、誘導加熱調理器の構成部品としてトップフレームが必要となるため、構成部品の数が増加するとともに、外観上のデザインに制約が生じるという課題があった。
【先行技術文献】
【特許文献】
【０００８】
【特許文献１】特開２０１０−２１０１６３号公報
【発明の概要】
【０００９】
上記従来の課題を解決するために、本発明の誘導加熱調理器は、本体を構成する本体外郭と、本体の天面に配され被加熱調理器具を載置する天板と、本体外郭に固定され、天板を少なくとも下方より支持するアンダーフレームと、天板の下方に設けられた加熱コイルユニットと、を備えている。さらに、加熱コイルユニットは、加熱コイルと、加熱コイルを載置するコイル支持体と、を有し、加熱コイルは、コイル支持体を介して、本体外郭の内部に取り付けられた弾性体によって下方から上方に付勢されるとともに、加熱コイルユニットの上端がアンダーフレームの下面もしくは本体外郭の内部に固定された受け部に押し当てられる構成を有する。
【００１０】
これにより、天板とアンダーフレームを挟持するトップフレームや保持部材を必ずしも設ける必要がなくなる。その結果、トップフレームや保持部材を必要としない、外観上、すっきりしたデザイン性と、清掃性に優れた誘導加熱調理器を実現できる。
【図面の簡単な説明】
【００１１】
【図１】図１は、本発明の実施の形態１における誘導加熱調理器を備えたキッチンの外観を示す斜視図である。
【図２】図２は、同実施の形態における誘導加熱調理器の主要部品の構成を示す分解斜視図である。
【図３】図３は、同実施の形態における誘導加熱調理器の要部の構成を示す図２の３−３断面図である。
【図４】図４は、本発明の実施の形態２における誘導加熱調理器の主要部品の構成を示す分解斜視図である。
【図５】図５は、同実施の形態における誘導加熱調理器の要部の構成を示す図４の５−５断面図である。
【図６】図６は、本発明の実施の形態３における誘導加熱調理器の主要部品の構成を示す分解斜視図である。
【図７】図７は、同実施の形態３における誘導加熱調理器の要部の構成を示す図６の７−７断面図である。
【図８】図８は、本発明の実施の形態４における誘導加熱調理器の要部の構成を示す断面図である。
【図９】図９は、本発明の実施の形態５における誘導加熱調理器の要部の構成を示す拡大斜視図である。
【図１０】図１０は、本発明の実施の形態６における誘導加熱調理器の要部の構成を示す断面図である。
【図１１】図１１は、本発明の実施の形態７における誘導加熱調理器の要部の構成を示す部分切り欠き分解斜視図である。
【図１２】図１２は、従来の誘導加熱調理器の主要構成部品を示す図である。
【発明を実施するための形態】
【００１２】
以下、本発明の実施の形態について、図面を参照しながら説明する。なお、この実施の形態によって本発明が限定されるものではない。また、実施の形態の説明順序は上記に記載の発明の順序とは異なる場合がある。
【００１３】
（実施の形態１）
以下、本発明の実施の形態の誘導加熱調理器について、図１から図３を用いて説明する。
【００１４】
図１は、本発明の実施の形態１における誘導加熱調理器を備えたキッチンの外観を示す斜視図である。図２は、同実施の形態における誘導加熱調理器の主要部品の構成を示す分解斜視図である。図３は、同実施の形態における誘導加熱調理器の要部の構成を示す図２の３−３断面図である。なお、本実施の形態の説明において、不要な構成要素については、主要構成要素であっても省略している。
【００１５】
図１に示すように、本実施の形態の誘導加熱調理器は、一般に、被加熱調理器具２２を載置する天板２が、誘導加熱調理器の本体１の天面に配置され、キッチン２１に組み込まれている。天板２は、誘導加熱調理器で発生する電磁誘導によって加熱されない、例えば高耐熱性を有するガラスなどの材質で構成されている。
【００１６】
そして、図２と図３に示すように、本実施の形態の誘導加熱調理器の本体１は、少なくとも天面に開口部４ａを有する本体外郭４と、開口部４ａを覆うように設けられた天板２と、開口部３ａを有するアンダーフレーム３とを備えている。そして、本体外郭４には、加熱コイル５を収納し支持ばね８で支持されるコイルベース６を有する加熱コイルユニットと、コイルベース６を支持する支持板７と、コイルベース６に設けられた防振部材９と、電源回路１０と、操作ユニット１２と、冷却ファン１１とが収納されて構成されている。
【００１７】
天板２は、開口部３ａが形成されたアンダーフレーム３で下方から支持されている。このとき、天板２とアンダーフレーム３の少なくとも外周部の近傍は、例えばシリコーンなどの接着剤で接合されている。これにより、天板２とアンダーフレーム３との水密性を保持している。
【００１８】
そして、アンダーフレーム３は、例えば板状で、加熱コイル５に対応する位置に開口部３ａが形成され、天板２の下面に設けられている。このとき、アンダーフレーム３の少なくとも一部は、本体外郭４の開口部４ａと対向する位置に存在する。また、アンダーフレーム３は本体外郭４と固定する固定部３ｂを有し、アンダーフレーム３と本体外郭４は、例えばネジなどからなる固定部３ｂを介して固定される。なお、アンダーフレーム３の固定部３ｂは、図３に示すように、アンダーフレーム３をアンダーフレーム３の天板との接着面より下方に、例えば凹ませて、下から上にネジ（図示せず）によって固定する構成としてもよい。また、アンダーフレーム３の一部を本体外郭４の内側で本体外郭４に沿って下方に延在させ、本体外郭４とアンダーフレーム３を側方からネジによって固定する構成としてもよい。
【００１９】
加熱コイルユニットを構成する加熱コイル５は、例えば４つ設けられ、天板２の下方で天板２に近接して設けられている。それぞれの加熱コイル５は、例えばコイル支持体である有底円筒形状のコイルベース６に収納されている。そして、コイルベース６は、複数の圧縮自在の弾性体である支持ばね８により、本体１を構成する本体外郭４に水平に固定して収納された支持板７上に弾性的に支持されている。このとき、支持ばね８は、コイルベース６の下面の外周近傍の、例えば３箇所に設けられ、コイルベース６を下方向から支持している。
【００２０】
また、コイルベース６の上面の外周周辺には、例えばゴムなどからなる防振部材９が、円周方向に等間隔で、例えば３箇所で、アンダーフレーム３に対向する位置（開口部３ａ以外の位置）に取り付けられている。これにより、加熱コイル５を収容するコイルベース６は、支持ばね８で上方に付勢され、防振部材９を介してアンダーフレーム３の下面に圧接され保持される。
【００２１】
つまり、加熱コイルユニットのコイルベース６の上端に設けられた防振部材９が、アンダーフレーム３の下面に押し当てられるように構成されている。ここで、コイルベース６が常に上方に付勢されて、アンダーフレーム３の下面に押し当てられることで、コイルベース６と天板２との間の距離が一定となる。これにより、コイルベース６に設けられた加熱コイル５と天板２上に載置される被加熱調理器具２２との間の距離を、一定に保つことができる。その結果、安定した加熱性能を有する誘導加熱調理器を実現できる。
【００２２】
そして、加熱コイル５は、本体外郭４の内部に配置された電源回路１０によって高周波電力が供給され、加熱制御される。このとき、本体外郭４内に配置された加熱コイル５および電源回路１０から発生する熱は、冷却ファン１１の送風によって冷却される。
【００２３】
また、誘導加熱調理器の操作は、例えば本体外郭４の内部に設けられた操作ユニット１２の上方に設けられた操作スイッチや、天板２に印刷された、タッチパネルなどで構成される操作部１３を介して実行される。なお、操作ユニット１２は、外部操作により誘導加熱調理器の運転を制御するための信号入力部、および誘導加熱調理器の運転状態を表示する表示部などを有する制御回路などを収納している。
【００２４】
以上のように構成された本実施の形態の誘導加熱調理器の動作および作用について、以下で説明する。
【００２５】
本実施の形態によれば、コイルベース６は、支持板７上で３箇所に配設された支持ばね８により下方から上方に付勢され、アンダーフレーム３の下面に押し当てられる構成を有している。そのため、支持ばね８の付勢力は、アンダーフレーム３に作用し、天板２に直接作用しない。これにより、コイルベース６が天板２を直接押し上げることを防止できる。その結果、天板２とアンダーフレーム３の間の接着剥がれを抑制し、誘導加熱調理器の信頼性が向上する。
【００２６】
さらに、天板２とアンダーフレーム３の周囲を、別部材などで挟持することなく、天板２とアンダーフレーム３の間の接着剥がれを抑制できる。これにより、天板２とアンダーフレーム３の周囲を挟持するトップフレームや保持部材を必ずしも設ける必要はなくなる。その結果、トップフレームや保持部材を必要としない、外観上、すっきりしたデザイン性と、清掃性に優れた誘導加熱調理器を実現できる。
【００２７】
また、本実施の形態によれば、それぞれのコイルベース６の下面の外周近傍の３箇所に設けた支持ばね８で、コイルベース６を下方向から支持する構成を有している。これにより、少ない支持ばね８でコイルベース６の水平方向のバランスを保ったままアンダーフレーム３の下面にコイルベース６を押し当てることができる。その結果、天板２と加熱コイル５の間の間隔のばらつきを抑え、安定した加熱性能を有する誘導加熱調理器を実現できる。
【００２８】
また、本実施の形態によれば、支持ばね８が載置される支持板７に、多少の反りなどの変形がある場合でも、支持ばね８の反発力によりコイルベース６を上方向に押し上げることができる。これにより、アンダーフレーム３に押し当てる際に、支持板７の反りなどを支持ばね８で吸収して、変形による影響を抑制できる。その結果、天板２と加熱コイル５の間の間隔のばらつきを抑えることができる。
【００２９】
また、本実施の形態によれば、コイルベース６の上面に備えたゴム性の防振部材９を介してコイルベース６をアンダーフレーム３の下面に押し当てる構成を有している。これにより、本体外郭４に内蔵される冷却ファン１１などから発生する振動を、防振部材９で吸収することができる。その結果、発生した振動がコイルベース６からアンダーフレーム３を経由して天板２に伝播するのを防止して、天板２に伝わる振動を抑制し、不要な音の発生などを防止できる。
【００３０】
さらに、防振部材９の高さを調整することにより、コイルベース６の形状を変更せずに、加熱コイル５と天板２との間隔を平行（水平）かつ一定の距離に保つことができる。
【００３１】
また、本実施の形態によれば、防振部材９をコイルベース６の外周付近の３箇所に、円周方向に等間隔に設置して構成している。これにより、少ない防振部材９で、コイルベース６を天板２の下方に、バランスよく、かつガタツキなく当接することができる。
【００３２】
さらに、誘導加熱調理器の運搬時などにおいて、本体１が振動する状況でも、アンダーフレーム３とコイルベース６との間に設けたゴム性の防振部材９の摩擦力により、振動などによるコイルベース６の水平方向のずれを抑制できる。
【００３３】
また、本実施の形態によれば、加熱コイル５を配置する位置に、アンダーフレーム３の開口部３ａを設けた構成を有する。これにより、加熱コイル５に対するアンダーフレーム３での受け面を、加熱コイル５周辺の任意の位置に設けることができ、かつ剛性も高まる。
【００３４】
さらに、天板２の天面から下方向に強い力が加わった場合でも、天板２の変形を支えるアンダーフレーム３の受け面の面積が増えているため、より強い力に耐え、天板２の変形や破損などを防止できる。これにより、天板２とアンダーフレーム３の周囲を挟持するトップフレームや保持部材を必ずしも設ける必要はなくなる。
【００３５】
なお、本実施の形態では、アンダーフレーム３の開口部３ａの内側に、加熱コイル５を設けた例で説明したが、これに限られない。例えば、ラジエントヒーターなどの電気加熱装置を配置してもよい。これにより、汎用性に優れた誘導加熱調理器を実現できる。
【００３６】
また、本実施の形態では、例えば図２に示すように、加熱コイル５を４つ設けた例で説明したが、これに限られない。例えば４つ以外の、加熱コイル５を有する誘導加熱調理器であってもよいことはいうまでもない。
【００３７】
（実施の形態２）
以下に、本発明の実施の形態２における誘導加熱調理器について、図４と図５を用いて説明する。なお、本実施の形態２の基本構成において、実施の形態１と同様な部分の説明は省略し、実施の形態１との相違点を中心に説明する。また、実施の形態１と同じ機能については、説明を省略する。
【００３８】
図４は、本発明の実施の形態２における誘導加熱調理器の主要構成部品を示す分解斜視図である。また、図５は同実施の形態における誘導加熱調理器の要部の構成を示す５−５断面図である。
【００３９】
つまり、図４と図５に示すように、本実施の形態の誘導加熱調理器は、加熱コイルユニットとして、コイルベース６を載置する、例えばアルミニウムなどで構成された金属製の遮熱ケース１４を、さらに備えている点で、実施の形態１とは異なる。
【００４０】
そして、図４と図５に示すように、遮熱ケース１４は、例えば略長方形（長方形を含む）の箱型で形成されている。そして、遮熱ケース１４は、支持板７に取り付けられた、例えば３つの支持ばね８によって支持されるとともに、アンダーフレーム３に向かって下方から上方に付勢されている。
【００４１】
また、コイルベース６の上面の外周周辺には、例えばゴムなどからなる防振部材９が、円周方向に等間隔で、例えば６箇所で、アンダーフレーム３に対向する位置（開口部３ａ以外の位置）に取り付けられている。これにより、加熱コイル５とコイルベース６を収納する遮熱ケース１４は、支持ばね８で上方に付勢され、防振部材９を介してアンダーフレーム３の下面に圧接され保持される。
【００４２】
以上のように構成された本実施の形態の誘導加熱調理器の動作および作用について、以下で説明する。
【００４３】
本実施の形態によれば、加熱コイル５とコイルベース６を収納する遮熱ケース１４を非磁性の金属で構成している。これにより、加熱コイル５に周期的な電流を流す際に発生する磁束をカットすることができる。その結果、加熱コイル５の駆動により発生する磁束の影響を抑制し、遮熱ケース１４の下方に配置される制御回路などの、例えば誤動作などの発生を防止して誘導加熱調理器の信頼性を向上できる。
【００４４】
また、本実施の形態によれば、遮熱ケース１４を、アルミニウムなどの熱伝導性が高く、かつ非磁性の金属材料で構成している。これにより、加熱コイル５で発生する熱を効率よく、誘導加熱調理器から外部に放熱できる。
【００４５】
このとき、例えば加熱コイル５とコイルベース６との間に、例えばフェライト板などを配置し、フェライト板の下面に、例えばシリコーンオイルを基油にアルミナなどの金属酸化物を配合したグリース状のオイルコンパウンドなど、熱伝導性のコンパウンドを塗布して遮熱ケース１４と密着させる構成としてもよい。これにより、加熱コイル５で発生する発熱を、フェライト板を介して効率よく遮熱ケース１４に伝え、遮熱ケース１４に伝熱された熱を冷却ファン１１の冷却風によって放熱することができる。その結果、加熱コイル５の過度な温度上昇を抑制し、温度上昇による加熱コイル５の品質の低下を防ぎ、誘導加熱調理器の信頼性を向上させることができる。
【００４６】
なお、本実施の形態では、遮熱ケース１４を３つの支持ばね８によって下方から支える構成を例に説明したが、これに限られない。例えば、遮熱ケース１４の４隅を４つの支持ばね８で支持する構成でもよく、遮熱ケース１４のバランスを保ち、安定性を高めることができる場合には、他の部品との位置関係を考慮しながら、支持ばねを任意の数で構成してもよい。
【００４７】
また、本実施の形態では、遮熱ケース１４を略長方形で構成された例で説明したが、これに限られず、例えば有底円筒形状でもよい。この場合、コイルベース６の外径より、遮熱ケースの内径を大きくする必要がある。
【００４８】
また、本実施の形態では、防振部材９をコイルベース６の外周付近の６箇所に、円周方向に等間隔に設置した例で説明したが、これに限られない。例えば、コイルベース６を天板２の下方に、バランスよく、かつガタツキなく当接できれば、防振部材の数は任意でよい。
【００４９】
また、本実施の形態では、図４に示すように、アンダーフレーム３に略長方形状の開口部３ａを設けた例で説明したが、これに限られない。例えば、加熱コイルの外径より大きく、コイルベース６の内径より小さければ、円形形状でもよい。
【００５０】
（実施の形態３）
以下に、本発明の実施の形態３における誘導加熱調理器について、図６と図７を用いて説明する。なお、本実施の形態３の基本構成において、上記各実施の形態と同様な部分の説明は省略し、相違点を中心に説明する。また、上記各実施の形態と同じ機能については、説明を省略する。
【００５１】
図６は、本発明の実施の形態３における誘導加熱調理器の主要構成部品を示す分解斜視図である。また、図７は同実施の形態における誘導加熱調理器の要部の構成を示す７−７断面図である。
【００５２】
つまり、図６と図７に示すように、本実施の形態の誘導加熱調理器は、防振部材９として、防振性が高い、例えば合成ゴムなどからなる汎用ゴムや、ゴム系発泡体などのシール材を用い、遮熱ケース１４の上面に貼り付けて防振部材を設ける点で、上記各実施の形態と異なる。
【００５３】
このとき、図６と図７に示すように、遮熱ケース１４は、本体外郭４の内部に取り付けられた支持ばね８（弾性体）によって下方から上方に付勢される。そして、遮熱ケース１４の上面に貼り付けられた防振部材９であるシール材を介して、遮熱ケース１４をアンダーフレーム３の下面に押し当てる構成を有している。
【００５４】
以上のように構成された誘導加熱調理器の動作および作用について、以下で説明する。
【００５５】
本実施の形態によれば、遮熱ケース１４の上面に貼り付けられたシール材からなる防振部材９を介して遮熱ケース１４をアンダーフレーム３の下面に押し当てる構成を備えている。このとき、コイルベース６よりも外側に位置する遮熱ケース１４の上面が、防振部材９を介してアンダーフレーム３の下面に押し当てられる。これにより、剛性が高くひずみにくいアンダーフレーム３の外周に近い位置で、かつ広い面積で当接された防振部材９を介して、支持ばね８（弾性体）の付勢力を受け止めることができる。その結果、支持ばね８（弾性体）の付勢力により、アンダーフレーム３を介して天板２に作用する応力を低減できる。さらに、アンダーフレーム３自身の変形も抑制できる。
【００５６】
また、本実施の形態によれば、防振部材９を遮熱ケース１４の上面の全面に設けて構成している。これにより、広い面積で防振部材９とアンダーフレーム３とを、バランスよく、かつガタツキなく当接させることができる。その結果、天板２と加熱コイル５の間の間隔のばらつきを抑え、安定した加熱性能を有する誘導加熱調理器を実現できる。
【００５７】
（実施の形態４）
以下に、本発明の実施の形態４における誘導加熱調理器について、図８を用いて説明する。なお、本実施の形態４の基本構成において、上記各実施の形態と同様な部分の説明は省略し、相違点を中心に説明する。また、上記各実施の形態と同じ機能については、説明を省略する。
【００５８】
図８は、本発明の実施の形態４における誘導加熱調理器の要部の構成を示す断面図である。
【００５９】
つまり、図８に示すように、本実施の形態の誘導加熱調理器は、アンダーフレーム３の下面に、例えばポリプロピレン（ＰＰ）などからなる耐熱性を有する樹脂製の受け部１５を設けた点で、上記実施の形態３と異なる。これにより、実施の形態３の防振部材９を省略できる。
【００６０】
このとき、図８に示すように、受け部１５は、アンダーフレーム３に、例えばビス留めなどにより固定されている。そして、受け部１５の下面に遮熱ケース１４の上面を押し当てることにより、支持ばね８の付勢力を介して遮熱ケース１４が保持される。
【００６１】
以上のように構成された誘導加熱調理器の動作および作用について、以下で説明する。
【００６２】
本実施の形態によれば、アンダーフレーム３の下面に設けた受け部１５を介して遮熱ケース１４を当接させる構成を備えている。これにより、天板２とアンダーフレーム３との間に接着剥がれを発生させる力が作用しない。その結果、天板２とアンダーフレーム３の間の接着剥がれを抑制し、誘導加熱調理器の信頼性が向上する。
【００６３】
また、安価な樹脂製の受け部１５をアンダーフレーム３の下面に取り付けることにより、アンダーフレーム３の大幅な形状の変更をする必要がない。その結果、低コストで、生産性に優れた誘導加熱調理器を実現できる。
【００６４】
また、アンダーフレーム３と加熱コイル５との間に受け部１５を設けることにより、アンダーフレーム３と加熱コイル５との間の電気的な絶縁距離を確保して、信頼性に優れた誘導加熱調理器を実現できる。
【００６５】
（実施の形態５）
以下に、本発明の実施の形態５における誘導加熱調理器について、図９を用いて説明する。なお、本実施の形態５の基本構成において、上記各実施の形態と同様な部分の説明は省略し、相違点を中心に説明する。また、上記各実施の形態と同じ機能については、説明を省略する。
【００６６】
図９は、本発明の実施の形態５における誘導加熱調理器の要部の構成を示す拡大斜視図である。
【００６７】
つまり、図９に示すように、本実施の形態の誘導加熱調理器は、実施の形態４の受け部１５を、支持板７に固定し、遮熱ケース１４を保持する点で、実施の形態４と異なる。
【００６８】
このとき、受け部１５の上面が、アンダーフレーム３の下面と当接する。
【００６９】
以上のように構成された誘導加熱調理器の動作および作用について、以下で説明する。
【００７０】
本実施の形態によれば、受け部１５を支持板７に固定する構成を有している。これにより、アンダーフレーム３に受け部１５を取り付けるための、例えば切り起こし、絞りや穴開けなどの加工が必要でなくなる。
【００７１】
さらに、実施の形態４のように受け部１５をアンダーフレーム３を裏返して付ける必要がない。その結果、受け部の取り付け作業性が向上し、生産性に優れた誘導加熱調理器を実現できる。
【００７２】
また、本実施の形態によれば、受け部１５が樹脂製の材料で構成されている。これにより、実施の形態４と同様に、アンダーフレーム３と加熱コイル５との間の電気的な絶縁距離を確保して、信頼性に優れた誘導加熱調理器を実現できる。
【００７３】
なお、本実施の形態では、受け部１５を支持板７に取り付けた例で説明したが、これに限られず、本体外郭４の内側などに固定してもよいことはいうまでもない。
【００７４】
（実施の形態６）
以下に、本発明の実施の形態６における誘導加熱調理器について、図１０を用いて説明する。なお、本実施の形態６の基本構成において、上記各実施の形態と同様な部分の説明は省略し、相違点を中心に説明する。また、上記各実施の形態と同じ機能については、説明を省略する。
【００７５】
図１０は、本発明の実施の形態６における誘導加熱調理器の要部の構成を示す断面図である。
【００７６】
つまり、図１０に示すように、本実施の形態の誘導加熱調理器は、アンダーフレーム３に絞り部１６を設け、絞り部１６の下面に遮熱ケース１４の上面を押し当てて、遮熱ケース１４を保持する点で、上記各実施の形態と異なる。このとき、絞り部１６は、図１０に示すように、断面が、例えば凹部形状を有し、凹部で空気層が形成される。
【００７７】
以上のように構成された誘導加熱調理器の動作および作用について、以下で説明する。
【００７８】
本実施の形態によれば、アンダーフレーム３に絞り部１６を設けた構成を有している。このとき、天板２とアンダーフレーム３の絞り部１６との間に空気層が形成される。これにより、加熱コイル５などからアンダーフレーム３を介して天板２に伝わる熱の伝導を抑制できる。その結果、安全性をより高め、信頼性に優れた誘導加熱調理器を実現できる。
【００７９】
また、本実施の形態によれば、凹部形状の絞り部１６を設けることにより、アンダーフレーム３自体の剛性を高めて、アンダーフレーム３の変形を抑制できる。これにより、高い形状安定とともに、信頼性に優れた誘導加熱調理器を実現できる。
【００８０】
なお、本実施の形態では、アンダーフレーム３に絞り部１６を設けた例で説明したが、これに限られない。例えば、アンダーフレーム３の加熱コイルユニットと当接しない部分に、ビードを形成してもよい。この場合においても、アンダーフレーム３自体の剛性を高めて、アンダーフレーム３の変形を抑制できる。
【００８１】
また、アンダーフレーム３に絞り部１６およびビードの両方を形成してもよい。これにより、さらにアンダーフレーム３の剛性を高めて、アンダーフレーム３の変形をより抑制できる。
【００８２】
なお、本実施の形態では、遮熱ケース１４の上面を、アンダーフレーム３の絞り部１６の下面に押し当てる構成を例に説明したが、これに限られない。例えば、アンダーフレーム３の絞り部１６の下面に、コイルベース６の上面を押し当てる構成でもよい。このとき、コイルベース６の上面や遮熱ケース１４の上面に防振部材９を設け、防振部材９を介してアンダーフレーム３の絞り部１６の下面と当接させてもよい。これにより、防振部材９で、コイルベース６や遮熱ケース１４をアンダーフレーム３の絞り部１６の下面に、バランスよく、かつガタツキなく当接できるとともに、振動などによる水平方向のずれを抑制できる。
【００８３】
（実施の形態７）
以下に、本発明の実施の形態７における誘導加熱調理器について、図１１を用いて説明する。なお、本実施の形態７の基本構成において、上記各実施の形態と同様な部分の説明は省略し、相違点を中心に説明する。また、上記各実施の形態と同じ機能については、説明を省略する。
【００８４】
図１１は、本発明の実施の形態７における誘導加熱調理器の要部の構成を示す部分切り欠き分解斜視図である。
【００８５】
つまり、図１１に示すように、本実施の形態の誘導加熱調理器は、加熱コイル５の上面に絶縁部材１７ａを、さらに設けて加熱コイルユニットを構成している。この場合、絶縁部材１７ａは、例えばマイカ（ケイ酸塩化合物）などで形成され、温度センサー３０の位置を避けるように、例えば中央部に開口を備えた構成を有している。
【００８６】
そして、加熱コイル５は、絶縁部材１７ａの上方に設けられた防振部材９を介してアンダーフレーム３の下面に押し当てられて固定される。
【００８７】
以上のように構成された誘導加熱調理器の動作および作用について、以下で説明する。
【００８８】
本実施の形態によれば、加熱コイル５の上面に絶縁部材１７ａを設けることにより、加熱コイル５とアンダーフレーム３との間の絶縁を確保できる。その結果、高い安全性とともに、信頼性に優れた誘導加熱調理器を実現できる。
【００８９】
なお、本実施の形態では、絶縁部材１７ａとアンダーフレーム３の下面とを、絶縁部材１７ａの上面に設けた防振部材９を介して当接した構成を例に説明したが、これに限られない。例えば、絶縁部材１７ａを、直接、アンダーフレーム３の下面に押し当てる構成としてもよい。これにより、構成を簡略化できる。
【００９０】
また、本実施の形態では、加熱コイル５とアンダーフレーム３との間に、絶縁部材１７ａを設けた例で説明したが、これに限られない。例えば、図１１に示すように、さらに加熱コイル５と絶縁部材１７ａの間に、例えばグラスウールなどからなる断熱部材１８を設けてもよい。これにより、加熱コイル５で発生する熱が、アンダーフレーム３を介して天板２に伝わることを抑制できる。その結果、安全性をより高め、信頼性に優れた誘導加熱調理器を実現できる。
【００９１】
なお、上記各実施の形態では、略長方形の開口部３ａをアンダーフレーム３に設けた例で説明したが、これに限られない。例えば、図１１に示すように、アンダーフレーム３に、加熱コイル５の外周に略一致（一致を含む）するような形状の開口部１９を形成してもよい。これにより、加熱コイル５で、被加熱調理器具２２を効率的に加熱できる。その結果、省エネルギーで、さらに加熱効率に優れた誘導加熱調理器を実現できる。
【００９２】
このとき、開口部１９の内側に向かって張り出す張り出し部２０をアンダーフレーム３に設けて、加熱コイルユニットの上端が張り出し部２０の下面に押し当てられる構成としてもよい。また、加熱コイルユニットの上端の外周（外径）よりも、アンダーフレーム３の開口部１９の内周（内径）を小さくして、加熱コイルユニットの上端がアンダーフレーム３の開口部１９の内周（内径）近傍の下面に押し当てられる構成としてもよい。これにより、簡単な構成で、天板２と加熱コイル５の間の間隔のばらつきを抑え、安定した加熱性能を有する誘導加熱調理器を実現できる。
【００９３】
また、上記各実施の形態では、複数の加熱コイルユニットを個別に支持ばねを介して支持する構成で説明したが、これに限られない。例えば、図１１に示すように、コイル支持体として複数の加熱コイルユニットを一体的に載置するコイルベース６ａを用い、コイルベース６ａを支持ばね８で下方から上方に付勢する構成としてもよい。これにより、少ない支持ばね８で簡単な構成の誘導加熱調理器を実現できる。このとき、金属製のプレートでコイルベース６ａを構成した場合、図１１に示すように、加熱コイル５とコイルベース６ａとの間に、さらに絶縁部材１７ｂを設けてもよい。これにより、加熱コイル５とコイルベース６ａとの絶縁を確保できる。また、金属製のプレートからなるコイルベース６ａを介して加熱コイル５の放熱が促進されるため、加熱コイル５の冷却性能を高めることができる。その結果、高い安全性とともに、信頼性に優れた誘導加熱調理器を実現できる。
【００９４】
以上で説明したように、本発明の誘導加熱調理器は、本体を構成する本体外郭と、本体の天面に配され被加熱調理器具を載置する天板と、本体外郭に固定され天板を少なくとも下方より支持するアンダーフレームと、天板の下方に設けられた加熱コイルユニットと、を備えている。さらに、加熱コイルユニットは、加熱コイルと、加熱コイルを載置するコイル支持体と、を有し、加熱コイルは、コイル支持体を介して、本体外郭の内部に取り付けられた弾性体によって下方から上方に付勢されるとともに、加熱コイルユニットの上端がアンダーフレームの下面もしくは本体外郭の内部に固定された受け部に押し当てられる構成を有する。
【００９５】
この構成によれば、コイル支持体が弾性体によって上方に持ち上げられる力をアンダーフレームの下面もしくは受け部で受けることができる。そのため、コイル支持体が、直接、天板を押し上げないので、天板とアンダーフレームとの間の接着剥がれを抑制できる。これにより、天板とアンダーフレームを挟持するトップフレームや保持部材を必ずしも設ける必要がなくなる。その結果、トップフレームや保持部材を必要としない、外観上、すっきりしたデザイン性と、清掃性に優れた誘導加熱調理器を実現できる。
【００９６】
また、本発明の誘導加熱調理器は、加熱コイルユニットの上端が、絶縁部材を介してアンダーフレームの下面に押し当てられる。
【００９７】
この構成によれば、加熱コイルの上面に絶縁部材を設けることにより、加熱コイルとアンダーフレームとの間の絶縁を確保できる。その結果、高い安全性とともに、信頼性に優れた誘導加熱調理器を実現できる。
【００９８】
また、本発明の誘導加熱調理器は、アンダーフレームは、板状に形成されるとともに、アンダーフレームの一部が本体外郭の内側に配置される。
【００９９】
この構成によれば、天板の強度を補強するとともに、アンダーフレームの下面に、加熱コイルユニットの受け面を構成することができる。
【０１００】
また、本発明の誘導加熱調理器は、アンダーフレームが、加熱コイルに対応する位置に、加熱コイルの外周に一致する開口部を有する。
【０１０１】
この構成によれば、加熱コイルで、被加熱調理器具を効率的に加熱できる。その結果、省エネルギーで、さらに加熱効率に優れた誘導加熱調理器を実現できる。
【０１０２】
また、本発明の誘導加熱調理器は、アンダーフレームの開口部が、加熱コイルユニットの上端の外周よりも小さい構成を有する。
【０１０３】
この構成によれば、確実に加熱コイルユニットの上端がアンダーフレームの下面に当接される。これにより、天板と加熱コイルユニットとの距離を一定に保ち、安定した加熱性能を有する誘導加熱調理器を実現できる。
【０１０４】
また、本発明の誘導加熱調理器は、アンダーフレームの開口部が、開口部の内側に張り出す張り出し部を有する。
【０１０５】
この構成によれば、開口部の内側に向かって張り出す張り出し部をアンダーフレームに設けて、加熱コイルユニットの上端が張り出し部の下面に押し当てられる弾性体の付勢力を受ける。これにより、簡単な構成で、天板２と加熱コイル５の間の間隔のばらつきを抑え、安定した加熱性能を有する誘導加熱調理器を実現できる。
【０１０６】
また、本発明の誘導加熱調理器は、本体外郭の内側に配置されたアンダーフレームにビードを形成した構成を有する。
【０１０７】
この構成によれば、アンダーフレームの本体外郭の開口部と対向する面にビードを形成して、アンダーフレーム自体の剛性を高めることにより、アンダーフレームおよび天板の変形を抑制できる。
【０１０８】
また、本発明の誘導加熱調理器は、加熱コイルユニットの上端に防振部材が配置されている。
【０１０９】
この構成によれば、加熱コイルユニットからアンダーフレームを経由して天板に伝わる振動を抑えることができる。また、防振部材を加熱コイルユニットの外周付近に配置することで加熱コイルユニットをバランスよく天板に当接できる。
【０１１０】
また、本発明の誘導加熱調理器は、加熱コイルユニットが、コイル支持体を収納する遮熱ケースを、さらに備えている。
【０１１１】
この構成によれば、コイル支持体は遮熱ケースに収納され、遮熱ケースは本体外郭内部に取り付けられた弾性体によって下方から上方に付勢され、コイル支持体の上面がアンダーフレームの下面に押し当てられる。これにより、遮熱ケースによって、加熱コイルに周期的な電流を流す際に発生する磁束をカットすることができ、下方に配置される制御回路などへの加熱コイルによる磁束の影響を抑えることができる。
【０１１２】
また、本発明の誘導加熱調理器は、アンダーフレームの下面に、加熱コイルユニットの上端からの付勢力を受ける受け部を設けている。
【０１１３】
この構成によれば、アンダーフレームの大幅な形状変更がコストなどの制約により困難な場合においても、別部材の受け部を設けることで、アンダーフレームに取り付けることによって本発明の構成を実現することができる。また、受け部を樹脂製とすることで、安価に構成できるとともに、受け部によってアンダーフレームと加熱コイルとの間の電気的な絶縁距離を確保することができる。
【０１１４】
また、本発明の誘導加熱調理器は、アンダーフレームの受け部が本体外郭の内部に固定されている。
【０１１５】
この構成によれば、受け部を支持板に固定する。これにより、アンダーフレームに受け部を取り付けるための、例えば切り起こし、絞りや穴開けなどの加工が必要でなくなる。さらに、受け部を、アンダーフレームを裏返して付ける必要がない。その結果、受け部の取り付け作業性が向上し、生産性に優れた誘導加熱調理器を実現できる。
【０１１６】
また、本発明の誘導加熱調理器は、アンダーフレームに絞り部を、さらに設け、絞り部で弾性体による付勢力を受ける。
【０１１７】
この構成によれば、天板とアンダーフレームの絞り部との間に空気層が形成される。これにより、加熱コイルなどからアンダーフレームを介して天板に伝わる熱の伝導を抑制できる。その結果、安全性をより高め、信頼性に優れた誘導加熱調理器を実現できる。また、絞り部を設けることにより、アンダーフレーム自体の剛性を高めて、アンダーフレームの変形を抑制できる。これにより、高い形状安定性とともに、信頼性に優れた誘導加熱調理器を実現できる。
【産業上の利用可能性】
【０１１８】
本発明の誘導加熱調理器は、天板とアンダーフレームの間の接着剥がれを抑制して、安全性や清掃性の向上が図れるため、天板の外周を枠体で囲う形態の加熱調理機器全般に対して有用である。
【符号の説明】
【０１１９】
１    本体
２，１０２    天板
３，１１６    アンダーフレーム
３ａ，４ａ，１９    開口部
３ｂ    固定部
４，１１０    本体外郭
５，１０５    加熱コイル
６，６ａ    コイルベース
７    支持板
８    支持ばね
９    防振部材
１０    電源回路
１１    冷却ファン
１２    操作ユニット
１３    操作部
１４    遮熱ケース
１５    受け部
１６    絞り部
１７ａ，１７ｂ    絶縁部材
１８    断熱部材
２０    張り出し部
２１    キッチン
２２    被加熱調理器具
３０    温度センサー
１０３    トップフレーム
１０６    コイルケース
１０７    弾性体
【図１】
2012137481.tif 000003
【図２】
2012137481.tif 000004
【図３】
2012137481.tif 000005
【図４】
2012137481.tif 000006
【図５】
2012137481.tif 000007
【図６】
2012137481.tif 000008
【図７】
2012137481.tif 000009
【図８】
2012137481.tif 000010
【図９】
2012137481.tif 000011
【図１０】
2012137481.tif 000012
【図１１】
2012137481.tif 000013
【図１２】
2012137481.tif 000014
【手続補正書】
【提出日】平成25年7月1日(2013.7.1)
【手続補正１】
【補正対象書類名】明細書
【補正対象項目名】全文
【補正方法】変更
【補正の内容】
【発明の詳細な説明】
【技術分野】
【０００１】
本発明は、一般家庭の台所や業務用の厨房などで使用される、誘導加熱調理器に関する。
【背景技術】
【０００２】
従来、この種の誘導加熱調理器は、以下に図１２を用いて説明する構成を有している（例えば、特許文献１参照）。図１２は、従来の誘導加熱調理器の主要構成部品を示す図である。
【０００３】
図１２に示すように、従来の誘導加熱調理器は、本体外郭１１０と、本体の天面に配置され被加熱物を載置する天板１０２と、トップフレーム１０３と、天板１０２の下方に設けられたアンダーフレーム１１６と、天板１０２の下方に設けられた加熱コイル１０５と、加熱コイル１０５を載置するコイルケース１０６とを備えている。また、コイルケース１０６は本体外郭１１０内部に取り付けられた弾性体１０７によって下方から上方に付勢され、天板１０２の下面に押し当てられる構成を備えている。
【０００４】
そして、トップフレーム１０３と天板１０２およびアンダーフレーム１１６とは互いに接着もしくは、かしめることにより一体となるように形成され、天板１０２とアンダーフレーム１１６の外周を覆うトップフレーム１０３によって、天板１０２を挟持し、固定していた。
【０００５】
しかしながら、一般的な誘導加熱調理器の構成では、弾性体１０７がコイルケース１０６を持ち上げる力を、コイルケース１０６を介して天板１０２の下面で受けている。そのため、天板１０２とアンダーフレーム１１６の間の接着を剥がす方向に力が、常に働いていた。
【０００６】
そこで、特許文献１の誘導加熱調理器では、天板１０２とアンダーフレーム１１６の周囲に機械的な締め付けを行うトップフレーム１０３や保持部材などを取り付けることにより、天板１０２とアンダーフレーム１１６の間の接着剥がれを抑制していた。
【０００７】
しかし、トップフレーム１０３と天板１０２の天面との隙間に汚れが溜まるため、清掃時において作業性が悪いという課題があった。また、誘導加熱調理器の構成部品としてトップフレームが必要となるため、構成部品の数が増加するとともに、外観上のデザインに制約が生じるという課題があった。
【先行技術文献】
【特許文献】
【０００８】
【特許文献１】特開２０１０−２１０１６３号公報
【発明の概要】
【０００９】
上記従来の課題を解決するために、本発明の誘導加熱調理器は、本体を構成する本体外郭と、本体の天面に配され被加熱調理器具を載置する天板と、本体外郭に固定され、天板を少なくとも下方より支持するアンダーフレームと、天板の下方に設けられた加熱コイルユニットと、を備えている。さらに、加熱コイルユニットは、加熱コイルと、加熱コイルを載置するコイル支持体と、を有し、加熱コイルは、コイル支持体を介して、本体外郭の内部に取り付けられた弾性体によって下方から上方に付勢されるとともに、加熱コイルユニットの上端がアンダーフレームの下面もしくは本体外郭の内部に固定された受け部に押し当てられる構成を有する。
【００１０】
これにより、天板とアンダーフレームを挟持するトップフレームや保持部材を必ずしも設ける必要がなくなる。その結果、トップフレームや保持部材を必要としない、外観上、すっきりしたデザイン性と、清掃性に優れた誘導加熱調理器を実現できる。
【図面の簡単な説明】
【００１１】
【図１】図１は、本発明の実施の形態１における誘導加熱調理器を備えたキッチンの外観を示す斜視図である。
【図２】図２は、同実施の形態における誘導加熱調理器の主要部品の構成を示す分解斜視図である。
【図３】図３は、同実施の形態における誘導加熱調理器の要部の構成を示す図２の３−３断面図である。
【図４】図４は、本発明の実施の形態２における誘導加熱調理器の主要部品の構成を示す分解斜視図である。
【図５】図５は、同実施の形態における誘導加熱調理器の要部の構成を示す図４の５−５断面図である。
【図６】図６は、本発明の実施の形態３における誘導加熱調理器の主要部品の構成を示す分解斜視図である。
【図７】図７は、同実施の形態３における誘導加熱調理器の要部の構成を示す図６の７−７断面図である。
【図８】図８は、本発明の実施の形態４における誘導加熱調理器の要部の構成を示す断面図である。
【図９】図９は、本発明の実施の形態５における誘導加熱調理器の要部の構成を示す拡大斜視図である。
【図１０】図１０は、本発明の実施の形態６における誘導加熱調理器の要部の構成を示す断面図である。
【図１１】図１１は、本発明の実施の形態７における誘導加熱調理器の要部の構成を示す部分切り欠き分解斜視図である。
【図１２】図１２は、従来の誘導加熱調理器の主要構成部品を示す図である。
【発明を実施するための形態】
【００１２】
以下、本発明の実施の形態について、図面を参照しながら説明する。なお、この実施の形態によって本発明が限定されるものではない。また、実施の形態の説明順序は上記に記載の発明の順序とは異なる場合がある。
【００１３】
（実施の形態１）
以下、本発明の実施の形態の誘導加熱調理器について、図１から図３を用いて説明する。
【００１４】
図１は、本発明の実施の形態１における誘導加熱調理器を備えたキッチンの外観を示す斜視図である。図２は、同実施の形態における誘導加熱調理器の主要部品の構成を示す分解斜視図である。図３は、同実施の形態における誘導加熱調理器の要部の構成を示す図２の３−３断面図である。なお、本実施の形態の説明において、不要な構成要素については、主要構成要素であっても省略している。
【００１５】
図１に示すように、本実施の形態の誘導加熱調理器は、一般に、被加熱調理器具２２を載置する天板２が、誘導加熱調理器の本体１の天面に配置され、キッチン２１に組み込まれている。天板２は、誘導加熱調理器で発生する電磁誘導によって加熱されない、例えば高耐熱性を有するガラスなどの材質で構成されている。
【００１６】
そして、図２と図３に示すように、本実施の形態の誘導加熱調理器の本体１は、少なくとも天面に開口部４ａを有する本体外郭４と、開口部４ａを覆うように設けられた天板２と、開口部３ａを有するアンダーフレーム３とを備えている。そして、本体外郭４には、加熱コイル５を収納し支持ばね８で支持されるコイルベース６を有する加熱コイルユニットと、コイルベース６を支持する支持板７と、コイルベース６に設けられた防振部材９と、電源回路１０と、操作ユニット１２と、冷却ファン１１とが収納されて構成されている。
【００１７】
天板２は、開口部３ａが形成されたアンダーフレーム３で下方から支持されている。このとき、天板２とアンダーフレーム３の少なくとも外周部の近傍は、例えばシリコーンなどの接着剤で接合されている。これにより、天板２とアンダーフレーム３との水密性を保持している。
【００１８】
そして、アンダーフレーム３は、例えば板状で、加熱コイル５に対応する位置に開口部３ａが形成され、天板２の下面に設けられている。このとき、アンダーフレーム３の少なくとも一部は、本体外郭４の開口部４ａと対向する位置に存在する。また、アンダーフレーム３は本体外郭４と固定する固定部３ｂを有し、アンダーフレーム３と本体外郭４は、例えばネジなどからなる固定部３ｂを介して固定される。なお、アンダーフレーム３の固定部３ｂは、図３に示すように、アンダーフレーム３をアンダーフレーム３の天板との接着面より下方に、例えば凹ませて、下から上にネジ（図示せず）によって固定する構成としてもよい。また、アンダーフレーム３の一部を本体外郭４の内側で本体外郭４に沿って下方に延在させ、本体外郭４とアンダーフレーム３を側方からネジによって固定する構成としてもよい。
【００１９】
加熱コイルユニットを構成する加熱コイル５は、例えば４つ設けられ、天板２の下方で天板２に近接して設けられている。それぞれの加熱コイル５は、例えばコイル支持体である有底円筒形状のコイルベース６に収納されている。そして、コイルベース６は、複数の圧縮自在の弾性体である支持ばね８により、本体１を構成する本体外郭４に水平に固定して収納された支持板７上に弾性的に支持されている。このとき、支持ばね８は、コイルベース６の下面の外周近傍の、例えば３箇所に設けられ、コイルベース６を下方向から支持している。
【００２０】
また、コイルベース６の上面の外周周辺には、例えばゴムなどからなる防振部材９が、円周方向に等間隔で、例えば３箇所で、アンダーフレーム３に対向する位置（開口部３ａ以外の位置）に取り付けられている。これにより、加熱コイル５を収容するコイルベース６は、支持ばね８で上方に付勢され、防振部材９を介してアンダーフレーム３の下面に圧接され保持される。
【００２１】
つまり、加熱コイルユニットのコイルベース６の上端に設けられた防振部材９が、アンダーフレーム３の下面に押し当てられるように構成されている。ここで、コイルベース６が常に上方に付勢されて、アンダーフレーム３の下面に押し当てられることで、コイルベース６と天板２との間の距離が一定となる。これにより、コイルベース６に設けられた加熱コイル５と天板２上に載置される被加熱調理器具２２との間の距離を、一定に保つことができる。その結果、安定した加熱性能を有する誘導加熱調理器を実現できる。
【００２２】
そして、加熱コイル５は、本体外郭４の内部に配置された電源回路１０によって高周波電力が供給され、加熱制御される。このとき、本体外郭４内に配置された加熱コイル５および電源回路１０から発生する熱は、冷却ファン１１の送風によって冷却される。
【００２３】
また、誘導加熱調理器の操作は、例えば本体外郭４の内部に設けられた操作ユニット１２の上方に設けられた操作スイッチや、天板２に印刷された、タッチパネルなどで構成される操作部１３を介して実行される。なお、操作ユニット１２は、外部操作により誘導加熱調理器の運転を制御するための信号入力部、および誘導加熱調理器の運転状態を表示する表示部などを有する制御回路などを収納している。
【００２４】
以上のように構成された本実施の形態の誘導加熱調理器の動作および作用について、以下で説明する。
【００２５】
本実施の形態によれば、コイルベース６は、支持板７上で３箇所に配設された支持ばね８により下方から上方に付勢され、アンダーフレーム３の下面に押し当てられる構成を有している。そのため、支持ばね８の付勢力は、アンダーフレーム３に作用し、天板２に直接作用しない。これにより、コイルベース６が天板２を直接押し上げることを防止できる。その結果、天板２とアンダーフレーム３の間の接着剥がれを抑制し、誘導加熱調理器の信頼性が向上する。
【００２６】
さらに、天板２とアンダーフレーム３の周囲を、別部材などで挟持することなく、天板２とアンダーフレーム３の間の接着剥がれを抑制できる。これにより、天板２とアンダーフレーム３の周囲を挟持するトップフレームや保持部材を必ずしも設ける必要はなくなる。その結果、トップフレームや保持部材を必要としない、外観上、すっきりしたデザイン性と、清掃性に優れた誘導加熱調理器を実現できる。
【００２７】
また、本実施の形態によれば、それぞれのコイルベース６の下面の外周近傍の３箇所に設けた支持ばね８で、コイルベース６を下方向から支持する構成を有している。これにより、少ない支持ばね８でコイルベース６の水平方向のバランスを保ったままアンダーフレーム３の下面にコイルベース６を押し当てることができる。その結果、天板２と加熱コイル５の間の間隔のばらつきを抑え、安定した加熱性能を有する誘導加熱調理器を実現できる。
【００２８】
また、本実施の形態によれば、支持ばね８が載置される支持板７に、多少の反りなどの変形がある場合でも、支持ばね８の反発力によりコイルベース６を上方向に押し上げることができる。これにより、アンダーフレーム３に押し当てる際に、支持板７の反りなどを支持ばね８で吸収して、変形による影響を抑制できる。その結果、天板２と加熱コイル５の間の間隔のばらつきを抑えることができる。
【００２９】
また、本実施の形態によれば、コイルベース６の上面に備えたゴム性の防振部材９を介してコイルベース６をアンダーフレーム３の下面に押し当てる構成を有している。これにより、本体外郭４に内蔵される冷却ファン１１などから発生する振動を、防振部材９で吸収することができる。その結果、発生した振動がコイルベース６からアンダーフレーム３を経由して天板２に伝播するのを防止して、天板２に伝わる振動を抑制し、不要な音の発生などを防止できる。
【００３０】
さらに、防振部材９の高さを調整することにより、コイルベース６の形状を変更せずに、加熱コイル５と天板２との間隔を平行（水平）かつ一定の距離に保つことができる。
【００３１】
また、本実施の形態によれば、防振部材９をコイルベース６の外周付近の３箇所に、円周方向に等間隔に設置して構成している。これにより、少ない防振部材９で、コイルベース６を天板２の下方に、バランスよく、かつガタツキなく当接することができる。
【００３２】
さらに、誘導加熱調理器の運搬時などにおいて、本体１が振動する状況でも、アンダーフレーム３とコイルベース６との間に設けたゴム性の防振部材９の摩擦力により、振動などによるコイルベース６の水平方向のずれを抑制できる。
【００３３】
また、本実施の形態によれば、加熱コイル５を配置する位置に、アンダーフレーム３の開口部３ａを設けた構成を有する。これにより、加熱コイル５に対するアンダーフレーム３での受け面を、加熱コイル５周辺の任意の位置に設けることができ、かつ剛性も高まる。
【００３４】
さらに、天板２の天面から下方向に強い力が加わった場合でも、天板２の変形を支えるアンダーフレーム３の受け面の面積が増えているため、より強い力に耐え、天板２の変形や破損などを防止できる。これにより、天板２とアンダーフレーム３の周囲を挟持するトップフレームや保持部材を必ずしも設ける必要はなくなる。
【００３５】
なお、本実施の形態では、アンダーフレーム３の開口部３ａの内側に、加熱コイル５を設けた例で説明したが、これに限られない。例えば、ラジエントヒーターなどの電気加熱装置を配置してもよい。これにより、汎用性に優れた誘導加熱調理器を実現できる。
【００３６】
また、本実施の形態では、例えば図２に示すように、加熱コイル５を４つ設けた例で説明したが、これに限られない。例えば４つ以外の、加熱コイル５を有する誘導加熱調理器であってもよいことはいうまでもない。
【００３７】
（実施の形態２）
以下に、本発明の実施の形態２における誘導加熱調理器について、図４と図５を用いて説明する。なお、本実施の形態２の基本構成において、実施の形態１と同様な部分の説明は省略し、実施の形態１との相違点を中心に説明する。また、実施の形態１と同じ機能については、説明を省略する。
【００３８】
図４は、本発明の実施の形態２における誘導加熱調理器の主要構成部品を示す分解斜視図である。また、図５は同実施の形態における誘導加熱調理器の要部の構成を示す５−５断面図である。
【００３９】
つまり、図４と図５に示すように、本実施の形態の誘導加熱調理器は、加熱コイルユニットとして、コイルベース６を載置する、例えばアルミニウムなどで構成された金属製の遮熱ケース１４を、さらに備えている点で、実施の形態１とは異なる。
【００４０】
そして、図４と図５に示すように、遮熱ケース１４は、例えば略長方形（長方形を含む）の箱型で形成されている。そして、遮熱ケース１４は、支持板７に取り付けられた、例えば３つの支持ばね８によって支持されるとともに、アンダーフレーム３に向かって下方から上方に付勢されている。
【００４１】
また、コイルベース６の上面の外周周辺には、例えばゴムなどからなる防振部材９が、円周方向に等間隔で、例えば６箇所で、アンダーフレーム３に対向する位置（開口部３ａ以外の位置）に取り付けられている。これにより、加熱コイル５とコイルベース６を収納する遮熱ケース１４は、支持ばね８で上方に付勢され、防振部材９を介してアンダーフレーム３の下面に圧接され保持される。
【００４２】
以上のように構成された本実施の形態の誘導加熱調理器の動作および作用について、以下で説明する。
【００４３】
本実施の形態によれば、加熱コイル５とコイルベース６を収納する遮熱ケース１４を非磁性の金属で構成している。これにより、加熱コイル５に周期的な電流を流す際に発生する磁束をカットすることができる。その結果、加熱コイル５の駆動により発生する磁束の影響を抑制し、遮熱ケース１４の下方に配置される制御回路などの、例えば誤動作などの発生を防止して誘導加熱調理器の信頼性を向上できる。
【００４４】
また、本実施の形態によれば、遮熱ケース１４を、アルミニウムなどの熱伝導性が高く、かつ非磁性の金属材料で構成している。これにより、加熱コイル５で発生する熱を効率よく、誘導加熱調理器から外部に放熱できる。
【００４５】
このとき、例えば加熱コイル５とコイルベース６との間に、例えばフェライト板などを配置し、フェライト板の下面に、例えばシリコーンオイルを基油にアルミナなどの金属酸化物を配合したグリース状のオイルコンパウンドなど、熱伝導性のコンパウンドを塗布して遮熱ケース１４と密着させる構成としてもよい。これにより、加熱コイル５で発生する発熱を、フェライト板を介して効率よく遮熱ケース１４に伝え、遮熱ケース１４に伝熱された熱を冷却ファン１１の冷却風によって放熱することができる。その結果、加熱コイル５の過度な温度上昇を抑制し、温度上昇による加熱コイル５の品質の低下を防ぎ、誘導加熱調理器の信頼性を向上させることができる。
【００４６】
なお、本実施の形態では、遮熱ケース１４を３つの支持ばね８によって下方から支える構成を例に説明したが、これに限られない。例えば、遮熱ケース１４の４隅を４つの支持ばね８で支持する構成でもよく、遮熱ケース１４のバランスを保ち、安定性を高めることができる場合には、他の部品との位置関係を考慮しながら、支持ばねを任意の数で構成してもよい。
【００４７】
また、本実施の形態では、遮熱ケース１４を略長方形で構成された例で説明したが、これに限られず、例えば有底円筒形状でもよい。この場合、コイルベース６の外径より、遮熱ケースの内径を大きくする必要がある。
【００４８】
また、本実施の形態では、防振部材９をコイルベース６の外周付近の６箇所に、円周方向に等間隔に設置した例で説明したが、これに限られない。例えば、コイルベース６を天板２の下方に、バランスよく、かつガタツキなく当接できれば、防振部材の数は任意でよい。
【００４９】
また、本実施の形態では、図４に示すように、アンダーフレーム３に略長方形状の開口部３ａを設けた例で説明したが、これに限られない。例えば、加熱コイルの外径より大きく、コイルベース６の内径より小さければ、円形形状でもよい。
【００５０】
（実施の形態３）
以下に、本発明の実施の形態３における誘導加熱調理器について、図６と図７を用いて説明する。なお、本実施の形態３の基本構成において、上記各実施の形態と同様な部分の説明は省略し、相違点を中心に説明する。また、上記各実施の形態と同じ機能については、説明を省略する。
【００５１】
図６は、本発明の実施の形態３における誘導加熱調理器の主要構成部品を示す分解斜視図である。また、図７は同実施の形態における誘導加熱調理器の要部の構成を示す７−７断面図である。
【００５２】
つまり、図６と図７に示すように、本実施の形態の誘導加熱調理器は、防振部材９として、防振性が高い、例えば合成ゴムなどからなる汎用ゴムや、ゴム系発泡体などのシール材を用い、遮熱ケース１４の上面に貼り付けて防振部材を設ける点で、上記各実施の形態と異なる。
【００５３】
このとき、図６と図７に示すように、遮熱ケース１４は、本体外郭４の内部に取り付けられた支持ばね８（弾性体）によって下方から上方に付勢される。そして、遮熱ケース１４の上面に貼り付けられた防振部材９であるシール材を介して、遮熱ケース１４をアンダーフレーム３の下面に押し当てる構成を有している。
【００５４】
以上のように構成された誘導加熱調理器の動作および作用について、以下で説明する。
【００５５】
本実施の形態によれば、遮熱ケース１４の上面に貼り付けられたシール材からなる防振部材９を介して遮熱ケース１４をアンダーフレーム３の下面に押し当てる構成を備えている。このとき、コイルベース６よりも外側に位置する遮熱ケース１４の上面が、防振部材９を介してアンダーフレーム３の下面に押し当てられる。これにより、剛性が高くひずみにくいアンダーフレーム３の外周に近い位置で、かつ広い面積で当接された防振部材９を介して、支持ばね８（弾性体）の付勢力を受け止めることができる。その結果、支持ばね８（弾性体）の付勢力により、アンダーフレーム３を介して天板２に作用する応力を低減できる。さらに、アンダーフレーム３自身の変形も抑制できる。
【００５６】
また、本実施の形態によれば、防振部材９を遮熱ケース１４の上面の全面に設けて構成している。これにより、広い面積で防振部材９とアンダーフレーム３とを、バランスよく、かつガタツキなく当接させることができる。その結果、天板２と加熱コイル５の間の間隔のばらつきを抑え、安定した加熱性能を有する誘導加熱調理器を実現できる。
【００５７】
（実施の形態４）
以下に、本発明の実施の形態４における誘導加熱調理器について、図８を用いて説明する。なお、本実施の形態４の基本構成において、上記各実施の形態と同様な部分の説明は省略し、相違点を中心に説明する。また、上記各実施の形態と同じ機能については、説明を省略する。
【００５８】
図８は、本発明の実施の形態４における誘導加熱調理器の要部の構成を示す断面図である。
【００５９】
つまり、図８に示すように、本実施の形態の誘導加熱調理器は、アンダーフレーム３の下面に、例えばポリプロピレン（ＰＰ）などからなる耐熱性を有する樹脂製の受け部１５を設けた点で、上記実施の形態３と異なる。これにより、実施の形態３の防振部材９を省略できる。
【００６０】
このとき、図８に示すように、受け部１５は、アンダーフレーム３に、例えばビス留めなどにより固定されている。そして、受け部１５の下面に遮熱ケース１４の上面を押し当てることにより、支持ばね８の付勢力を介して遮熱ケース１４が保持される。
【００６１】
以上のように構成された誘導加熱調理器の動作および作用について、以下で説明する。
【００６２】
本実施の形態によれば、アンダーフレーム３の下面に設けた受け部１５を介して遮熱ケース１４を当接させる構成を備えている。これにより、天板２とアンダーフレーム３との間に接着剥がれを発生させる力が作用しない。その結果、天板２とアンダーフレーム３の間の接着剥がれを抑制し、誘導加熱調理器の信頼性が向上する。
【００６３】
また、安価な樹脂製の受け部１５をアンダーフレーム３の下面に取り付けることにより、アンダーフレーム３の大幅な形状の変更をする必要がない。その結果、低コストで、生産性に優れた誘導加熱調理器を実現できる。
【００６４】
また、アンダーフレーム３と加熱コイル５との間に受け部１５を設けることにより、アンダーフレーム３と加熱コイル５との間の電気的な絶縁距離を確保して、信頼性に優れた誘導加熱調理器を実現できる。
【００６５】
（実施の形態５）
以下に、本発明の実施の形態５における誘導加熱調理器について、図９を用いて説明する。なお、本実施の形態５の基本構成において、上記各実施の形態と同様な部分の説明は省略し、相違点を中心に説明する。また、上記各実施の形態と同じ機能については、説明を省略する。
【００６６】
図９は、本発明の実施の形態５における誘導加熱調理器の要部の構成を示す拡大斜視図である。
【００６７】
つまり、図９に示すように、本実施の形態の誘導加熱調理器は、実施の形態４の受け部１５を、支持板７に固定し、遮熱ケース１４を保持する点で、実施の形態４と異なる。
【００６８】
このとき、受け部１５の上面が、アンダーフレーム３の下面と当接する。
【００６９】
以上のように構成された誘導加熱調理器の動作および作用について、以下で説明する。
【００７０】
本実施の形態によれば、受け部１５を支持板７に固定する構成を有している。これにより、アンダーフレーム３に受け部１５を取り付けるための、例えば切り起こし、絞りや穴開けなどの加工が必要でなくなる。
【００７１】
さらに、実施の形態４のように受け部１５をアンダーフレーム３を裏返して付ける必要がない。その結果、受け部の取り付け作業性が向上し、生産性に優れた誘導加熱調理器を実現できる。
【００７２】
また、本実施の形態によれば、受け部１５が樹脂製の材料で構成されている。これにより、実施の形態４と同様に、アンダーフレーム３と加熱コイル５との間の電気的な絶縁距離を確保して、信頼性に優れた誘導加熱調理器を実現できる。
【００７３】
なお、本実施の形態では、受け部１５を支持板７に取り付けた例で説明したが、これに限られず、本体外郭４の内側などに固定してもよいことはいうまでもない。
【００７４】
（実施の形態６）
以下に、本発明の実施の形態６における誘導加熱調理器について、図１０を用いて説明する。なお、本実施の形態６の基本構成において、上記各実施の形態と同様な部分の説明は省略し、相違点を中心に説明する。また、上記各実施の形態と同じ機能については、説明を省略する。
【００７５】
図１０は、本発明の実施の形態６における誘導加熱調理器の要部の構成を示す断面図である。
【００７６】
つまり、図１０に示すように、本実施の形態の誘導加熱調理器は、アンダーフレーム３に絞り部１６を設け、絞り部１６の下面に遮熱ケース１４の上面を押し当てて、遮熱ケース１４を保持する点で、上記各実施の形態と異なる。このとき、絞り部１６は、図１０に示すように、断面が、例えば凹部形状を有し、凹部で空気層が形成される。
【００７７】
以上のように構成された誘導加熱調理器の動作および作用について、以下で説明する。
【００７８】
本実施の形態によれば、アンダーフレーム３に絞り部１６を設けた構成を有している。このとき、天板２とアンダーフレーム３の絞り部１６との間に空気層が形成される。これにより、加熱コイル５などからアンダーフレーム３を介して天板２に伝わる熱の伝導を抑制できる。その結果、安全性をより高め、信頼性に優れた誘導加熱調理器を実現できる。
【００７９】
また、本実施の形態によれば、凹部形状の絞り部１６を設けることにより、アンダーフレーム３自体の剛性を高めて、アンダーフレーム３の変形を抑制できる。これにより、高い形状安定とともに、信頼性に優れた誘導加熱調理器を実現できる。
【００８０】
なお、本実施の形態では、アンダーフレーム３に絞り部１６を設けた例で説明したが、これに限られない。例えば、アンダーフレーム３の加熱コイルユニットと当接しない部分に、ビードを形成してもよい。この場合においても、アンダーフレーム３自体の剛性を高めて、アンダーフレーム３の変形を抑制できる。
【００８１】
また、アンダーフレーム３に絞り部１６およびビードの両方を形成してもよい。これにより、さらにアンダーフレーム３の剛性を高めて、アンダーフレーム３の変形をより抑制できる。
【００８２】
なお、本実施の形態では、遮熱ケース１４の上面を、アンダーフレーム３の絞り部１６の下面に押し当てる構成を例に説明したが、これに限られない。例えば、アンダーフレーム３の絞り部１６の下面に、コイルベース６の上面を押し当てる構成でもよい。このとき、コイルベース６の上面や遮熱ケース１４の上面に防振部材９を設け、防振部材９を介してアンダーフレーム３の絞り部１６の下面と当接させてもよい。これにより、防振部材９で、コイルベース６や遮熱ケース１４をアンダーフレーム３の絞り部１６の下面に、バランスよく、かつガタツキなく当接できるとともに、振動などによる水平方向のずれを抑制できる。
【００８３】
（実施の形態７）
以下に、本発明の実施の形態７における誘導加熱調理器について、図１１を用いて説明する。なお、本実施の形態７の基本構成において、上記各実施の形態と同様な部分の説明は省略し、相違点を中心に説明する。また、上記各実施の形態と同じ機能については、説明を省略する。
【００８４】
図１１は、本発明の実施の形態７における誘導加熱調理器の要部の構成を示す部分切り欠き分解斜視図である。
【００８５】
つまり、図１１に示すように、本実施の形態の誘導加熱調理器は、加熱コイル５の上面に絶縁部材１７ａを、さらに設けて加熱コイルユニットを構成している。この場合、絶縁部材１７ａは、例えばマイカ（ケイ酸塩化合物）などで形成され、温度センサー３０の位置を避けるように、例えば中央部に開口を備えた構成を有している。
【００８６】
そして、加熱コイル５は、絶縁部材１７ａの上方に設けられた防振部材９を介してアンダーフレーム３の下面に押し当てられて固定される。
【００８７】
以上のように構成された誘導加熱調理器の動作および作用について、以下で説明する。
【００８８】
本実施の形態によれば、加熱コイル５の上面に絶縁部材１７ａを設けることにより、加熱コイル５とアンダーフレーム３との間の絶縁を確保できる。その結果、高い安全性とともに、信頼性に優れた誘導加熱調理器を実現できる。
【００８９】
なお、本実施の形態では、絶縁部材１７ａとアンダーフレーム３の下面とを、絶縁部材１７ａの上面に設けた防振部材９を介して当接した構成を例に説明したが、これに限られない。例えば、絶縁部材１７ａを、直接、アンダーフレーム３の下面に押し当てる構成としてもよい。これにより、構成を簡略化できる。
【００９０】
また、本実施の形態では、加熱コイル５とアンダーフレーム３との間に、絶縁部材１７ａを設けた例で説明したが、これに限られない。例えば、図１１に示すように、さらに加熱コイル５と絶縁部材１７ａの間に、例えばグラスウールなどからなる断熱部材１８を設けてもよい。これにより、加熱コイル５で発生する熱が、アンダーフレーム３を介して天板２に伝わることを抑制できる。その結果、安全性をより高め、信頼性に優れた誘導加熱調理器を実現できる。
【００９１】
なお、上記各実施の形態では、略長方形の開口部３ａをアンダーフレーム３に設けた例で説明したが、これに限られない。例えば、図１１に示すように、アンダーフレーム３に、加熱コイル５の外周に略一致（一致を含む）するような形状の開口部１９を形成してもよい。これにより、加熱コイル５で、被加熱調理器具２２を効率的に加熱できる。その結果、省エネルギーで、さらに加熱効率に優れた誘導加熱調理器を実現できる。
【００９２】
このとき、開口部１９の内側に向かって張り出す張り出し部２０をアンダーフレーム３に設けて、加熱コイルユニットの上端が張り出し部２０の下面に押し当てられる構成としてもよい。また、加熱コイルユニットの上端の外周（外径）よりも、アンダーフレーム３の開口部１９の内周（内径）を小さくして、加熱コイルユニットの上端がアンダーフレーム３の開口部１９の内周（内径）近傍の下面に押し当てられる構成としてもよい。これにより、簡単な構成で、天板２と加熱コイル５の間の間隔のばらつきを抑え、安定した加熱性能を有する誘導加熱調理器を実現できる。
【００９３】
また、上記各実施の形態では、複数の加熱コイルユニットを個別に支持ばねを介して支持する構成で説明したが、これに限られない。例えば、図１１に示すように、コイル支持体として複数の加熱コイルユニットを一体的に載置するコイルベース６ａを用い、コイルベース６ａを支持ばね８で下方から上方に付勢する構成としてもよい。これにより、少ない支持ばね８で簡単な構成の誘導加熱調理器を実現できる。このとき、金属製のプレートでコイルベース６ａを構成した場合、図１１に示すように、加熱コイル５とコイルベース６ａとの間に、さらに絶縁部材１７ｂを設けてもよい。これにより、加熱コイル５とコイルベース６ａとの絶縁を確保できる。また、金属製のプレートからなるコイルベース６ａを介して加熱コイル５の放熱が促進されるため、加熱コイル５の冷却性能を高めることができる。その結果、高い安全性とともに、信頼性に優れた誘導加熱調理器を実現できる。
【００９４】
以上で説明したように、本発明の誘導加熱調理器は、本体を構成する本体外郭と、本体の天面に配され被加熱調理器具を載置する天板と、本体外郭に固定され天板を少なくとも下方より支持するアンダーフレームと、天板の下方に設けられた加熱コイルユニットと、を備えている。さらに、加熱コイルユニットは、加熱コイルと、加熱コイルを載置するコイル支持体と、を有し、加熱コイルは、コイル支持体を介して、本体外郭の内部に取り付けられた弾性体によって下方から上方に付勢されるとともに、加熱コイルユニットの上端がアンダーフレームの下面もしくは本体外郭の内部に固定された受け部に押し当てられる構成を有する。
【００９５】
この構成によれば、コイル支持体が弾性体によって上方に持ち上げられる力をアンダーフレームの下面もしくは受け部で受けることができる。そのため、コイル支持体が、直接、天板を押し上げないので、天板とアンダーフレームとの間の接着剥がれを抑制できる。これにより、天板とアンダーフレームを挟持するトップフレームや保持部材を必ずしも設ける必要がなくなる。その結果、トップフレームや保持部材を必要としない、外観上、すっきりしたデザイン性と、清掃性に優れた誘導加熱調理器を実現できる。
【００９６】
また、本発明の誘導加熱調理器は、加熱コイルユニットの上端が、絶縁部材を介してアンダーフレームの下面に押し当てられる。
【００９７】
この構成によれば、加熱コイルの上面に絶縁部材を設けることにより、加熱コイルとアンダーフレームとの間の絶縁を確保できる。その結果、高い安全性とともに、信頼性に優れた誘導加熱調理器を実現できる。
【００９８】
また、本発明の誘導加熱調理器は、アンダーフレームは、板状に形成されるとともに、アンダーフレームの一部が本体外郭の内側に配置される。
【００９９】
この構成によれば、天板の強度を補強するとともに、アンダーフレームの下面に、加熱コイルユニットの受け面を構成することができる。
【０１００】
また、本発明の誘導加熱調理器は、アンダーフレームが、加熱コイルに対応する位置に、加熱コイルの外周に一致する開口部を有する。
【０１０１】
この構成によれば、加熱コイルで、被加熱調理器具を効率的に加熱できる。その結果、省エネルギーで、さらに加熱効率に優れた誘導加熱調理器を実現できる。
【０１０２】
また、本発明の誘導加熱調理器は、アンダーフレームの開口部が、加熱コイルユニットの上端の外周よりも小さい構成を有する。
【０１０３】
この構成によれば、確実に加熱コイルユニットの上端がアンダーフレームの下面に当接される。これにより、天板と加熱コイルユニットとの距離を一定に保ち、安定した加熱性能を有する誘導加熱調理器を実現できる。
【０１０４】
また、本発明の誘導加熱調理器は、アンダーフレームの開口部が、開口部の内側に張り出す張り出し部を有する。
【０１０５】
この構成によれば、開口部の内側に向かって張り出す張り出し部をアンダーフレームに設けて、加熱コイルユニットの上端が張り出し部の下面に押し当てられる弾性体の付勢力を受ける。これにより、簡単な構成で、天板２と加熱コイル５の間の間隔のばらつきを抑え、安定した加熱性能を有する誘導加熱調理器を実現できる。
【０１０６】
また、本発明の誘導加熱調理器は、本体外郭の内側に配置されたアンダーフレームにビードを形成した構成を有する。
【０１０７】
この構成によれば、アンダーフレームの本体外郭の開口部と対向する面にビードを形成して、アンダーフレーム自体の剛性を高めることにより、アンダーフレームおよび天板の変形を抑制できる。
【０１０８】
また、本発明の誘導加熱調理器は、加熱コイルユニットの上端に防振部材が配置されている。
【０１０９】
この構成によれば、加熱コイルユニットからアンダーフレームを経由して天板に伝わる振動を抑えることができる。また、防振部材を加熱コイルユニットの外周付近に配置することで加熱コイルユニットをバランスよく天板に当接できる。
【０１１０】
また、本発明の誘導加熱調理器は、加熱コイルユニットが、コイル支持体を収納する遮熱ケースを、さらに備えている。
【０１１１】
この構成によれば、コイル支持体は遮熱ケースに収納され、遮熱ケースは本体外郭内部に取り付けられた弾性体によって下方から上方に付勢され、コイル支持体の上面がアンダーフレームの下面に押し当てられる。これにより、遮熱ケースによって、加熱コイルに周期的な電流を流す際に発生する磁束をカットすることができ、下方に配置される制御回路などへの加熱コイルによる磁束の影響を抑えることができる。
【０１１２】
また、本発明の誘導加熱調理器は、アンダーフレームの下面に、加熱コイルユニットの上端からの付勢力を受ける受け部を設けている。
【０１１３】
この構成によれば、アンダーフレームの大幅な形状変更がコストなどの制約により困難な場合においても、別部材の受け部を設けることで、アンダーフレームに取り付けることによって本発明の構成を実現することができる。また、受け部を樹脂製とすることで、安価に構成できるとともに、受け部によってアンダーフレームと加熱コイルとの間の電気的な絶縁距離を確保することができる。
【０１１４】
また、本発明の誘導加熱調理器は、アンダーフレームの受け部が本体外郭の内部に固定されている。
【０１１５】
この構成によれば、受け部を支持板に固定する。これにより、アンダーフレームに受け部を取り付けるための、例えば切り起こし、絞りや穴開けなどの加工が必要でなくなる。さらに、受け部を、アンダーフレームを裏返して付ける必要がない。その結果、受け部の取り付け作業性が向上し、生産性に優れた誘導加熱調理器を実現できる。
【０１１６】
また、本発明の誘導加熱調理器は、アンダーフレームに絞り部を、さらに設け、絞り部で弾性体による付勢力を受ける。
【０１１７】
この構成によれば、天板とアンダーフレームの絞り部との間に空気層が形成される。これにより、加熱コイルなどからアンダーフレームを介して天板に伝わる熱の伝導を抑制できる。その結果、安全性をより高め、信頼性に優れた誘導加熱調理器を実現できる。また、絞り部を設けることにより、アンダーフレーム自体の剛性を高めて、アンダーフレームの変形を抑制できる。これにより、高い形状安定性とともに、信頼性に優れた誘導加熱調理器を実現できる。
【産業上の利用可能性】
【０１１８】
本発明の誘導加熱調理器は、天板とアンダーフレームの間の接着剥がれを抑制して、安全性や清掃性の向上が図れるため、天板の外周を枠体で囲う形態の加熱調理機器全般に対して有用である。
【符号の説明】
【０１１９】
１  本体
２，１０２  天板
３，１１６  アンダーフレーム
３ａ，４ａ，１９  開口部
３ｂ  固定部
４，１１０  本体外郭
５，１０５  加熱コイル
６，６ａ  コイルベース
７  支持板
８  支持ばね
９  防振部材
１０  電源回路
１１  冷却ファン
１２  操作ユニット
１３  操作部
１４  遮熱ケース
１５  受け部
１６  絞り部
１７ａ，１７ｂ  絶縁部材
１８  断熱部材
２０  張り出し部
２１  キッチン
２２  被加熱調理器具
３０  温度センサー
１０３  トップフレーム
１０６  コイルケース
１０７  弾性体
【手続補正２】
【補正対象書類名】特許請求の範囲
【補正対象項目名】全文
【補正方法】変更
【補正の内容】
【特許請求の範囲】
【請求項１】
本体を構成する本体外郭と、前記本体の天面に配され被加熱調理器具を載置する天板と、前記本体外郭に固定され前記天板を少なくとも下方より支持するアンダーフレームと、前記天板の下方に設けられた加熱コイルユニットと、を備え
前記加熱コイルユニットは、
加熱コイルと、前記加熱コイルを載置するコイル支持体と、を有し、
前記加熱コイルは、前記コイル支持体を介して、前記本体外郭の内部に取り付けられた弾性体によって下方から上方に付勢されるとともに、
前記加熱コイルユニットの上端が前記アンダーフレームの下面もしくは前記本体外郭の内部に固定された受け部に押し当てられる構成を有する誘導加熱調理器。
【請求項２】
前記加熱コイルユニットの上端は、絶縁部材を介して前記アンダーフレームの下面に押し当てられる請求項１に記載の誘導加熱調理器。
【請求項３】
前記アンダーフレームは、板状に形成されるとともに、前記アンダーフレームの一部が前記本体外郭の内側に配置される請求項１に記載の誘導加熱調理器。
【請求項４】
前記アンダーフレームは、前記加熱コイルに対応する位置に、前記加熱コイルの外周に一致する開口部を有する請求項１に記載の誘導加熱調理器。
【請求項５】
前記アンダーフレームの前記開口部は、前記加熱コイルユニットの上端の外周よりも小さい請求項４に記載の誘導加熱調理器。
【請求項６】
前記アンダーフレームの前記開口部は、前記開口部の内側に張り出す張り出し部を有する請求項４に記載の誘導加熱調理器。
【請求項７】
前記本体外郭の内側に配置された前記アンダーフレームにビードを形成した請求項３に記載の誘導加熱調理器。
【請求項８】
前記加熱コイルユニットの上端に防振部材が配置された請求項１に記載の誘導加熱調理器。
【請求項９】
前記加熱コイルユニットは、前記コイル支持体を収納する遮熱ケースを、さらに備えている請求項１に記載の誘導加熱調理器。
【請求項１０】
前記アンダーフレームの下面に、前記加熱コイルユニットの上端からの付勢力を受ける受け部を設けた請求項２に記載の誘導加熱調理器。
【請求項１１】
前記アンダーフレームの前記受け部は前記本体外郭の内部に固定された請求項１０に記載の誘導加熱調理器。
【請求項１２】
前記アンダーフレームに絞り部を、さらに設け、前記絞り部で前記弾性体による付勢力を受ける請求項１に記載の誘導加熱調理器。
【手続補正３】
【補正対象書類名】図面
【補正対象項目名】全図
【補正方法】変更
【補正の内容】
【図１】
2012137481.tif 000015
【図２】
2012137481.tif 000016
【図３】
2012137481.tif 000017
【図４】
2012137481.tif 000018
【図５】
2012137481.tif 000019
【図６】
2012137481.tif 000020
【図７】
2012137481.tif 000021
【図８】
2012137481.tif 000022
【図９】
2012137481.tif 000023
【図１０】
2012137481.tif 000024
【図１１】
2012137481.tif 000025
【図１２】
2012137481.tif 000026
【国際調査報告】
2012137481.tif 000027
2012137481.tif 000028
2012137481.tif 000029
2012137481.tif 000030